(57)【要約】【課題】重量バランスや全体重量の調整が容易で、かつ、デザインの自由度を高めることが可能な構造を有するダーツバレルの提供を目的とする。【解決手段】本発明のダーツバレル４は、先端側部材４１と、後端側部材４２と、ダーツバレル４の軸方向で先端側部材４１および後端側部材４２の間に設けられるリング状部材４３とを備え、先端側部材４１および後端側部材４２は、リング状部材４３を挿通するネジ部により接続され、リング状部材４３は、先端側部材４１および後端側部材４２よりも軸方向の長さが短く、リング状部材４３の外周に装飾部４３ａが形成されている。【選択図】図１
2019055113.tif 000002
【特許請求の範囲】
【請求項１】
ダーツの前側部分を構成するチップと、前記ダーツの後側部分を構成する羽根付きのダーツシャフトとの間に配置されて、前記ダーツの中間部分を構成するダーツバレルであって、
前記ダーツバレルが、
前記チップに螺合接続される先端側部材と、
前記ダーツシャフトに螺合接続される後端側部材と、
前記ダーツバレルの軸方向で前記先端側部材および前記後端側部材の間に設けられ、貫通孔を有するリング状部材とを備え、
前記先端側部材および前記後端側部材は、前記リング状部材の貫通孔を挿通するネジ部により接続され、
前記リング状部材は、前記先端側部材および前記後端側部材よりも軸方向の長さが短く、前記リング状部材の外周に装飾部が形成されているダーツバレル。
【請求項２】
前記後端側部材および前記リング状部材は、前記先端側部材よりも比重が小さい、請求項１記載のダーツバレル。
【請求項３】
前記リング状部材は、前記後端側部材よりも比重が小さい、請求項２記載のダーツバレル。
【請求項４】
前記リング状部材は、前記後端側部材よりも比重が大きい、請求項２記載のダーツバレル。
【請求項５】
前記先端側部材および前記リング状部材は、前記後端側部材よりも比重が小さい、請求項１記載のダーツバレル。
【請求項６】
前記リング状部材は、前記先端側部材よりも比重が小さい、請求項５記載のダーツバレル。
【請求項７】
前記リング状部材は、前記先端側部材よりも比重が大きい、請求項５記載のダーツバレル。
【請求項８】
前記先端側部材および前記後端側部材が同じ材料により構成されている請求項１記載のダーツバレル。
【請求項９】
前記リング状部材は、前記先端側部材および前記後端側部材よりも比重が小さい、請求項８記載のダーツバレル。
【請求項１０】
前記リング状部材が、前記先端側部材および前記後端側部材よりも加工性の良い材料から構成されている請求項１〜９のいずれか１項に記載のダーツバレル。
【請求項１１】
前記ネジ部が、前記先端側部材と前記後端側部材との両方に螺合する別部材により構成され、
前記ネジ部は、前記先端側部材の、前記リング状部材に隣接する端部に螺合する第１雄ネジ部と、前記後端側部材の、前記リング状部材に隣接する端部に螺合する第２雄ネジ部と、前記第１雄ネジ部と前記第２雄ネジ部との間に設けられ、前記リング状部材の内側に挿入される円筒部とを有し、
前記ネジ部は、前記先端側部材、前記後端側部材および前記リング状部材よりも比重が小さい、請求項１〜１０のいずれか１項に記載のダーツバレル。
【請求項１２】
請求項１〜１１のいずれか１項に記載のダーツバレルを備えたダーツ。
【請求項１３】
請求項１〜１１のいずれか１項に記載のダーツバレルを構成するためのダーツバレル構成部品セットであって、前記ダーツバレル構成部品セットが、
複数種類の先端側部材と、複数種類の後端側部材と、装飾部が形成された１つのリング状部材とを備えているダーツバレル構成部品セット。
【請求項１４】
前記複数種類の先端側部材は、重量および／または外周部の構造が互いに異なり、
前記複数種類の後端側部材は、重量および／または外周部の構造が互いに異なる請求項１３記載のダーツバレル構成部品セット。
【発明の詳細な説明】
【技術分野】
【０００１】
本発明はダーツバレル、ダーツバレルを備えたダーツ、および、ダーツバレル構成部品セットに関する。
【背景技術】
【０００２】
ダーツゲームに使用されるダーツは、一般に、ダーツボードに突き刺さるチップと、チップが接続されるダーツバレルと、ダーツバレルに接続されるシャフトおよびフライトとを備えている。その中でもダーツバレルのデザインは近年多様化しており、ダーツのプレーヤーは、ダーツのデザインにより個性を求めるようになってきている。ダーツバレルには、指掛かりなどを良くするための溝が形成されていることが多いが、デザイン面では不十分であり、さらに個性を持ったダーツバレルの提供が求められている。
【０００３】
一方、ダーツバレルは、重量バランスや全体重量などが非常に重要となる。そのため、ダーツバレルに使用する材料（比重や前後方向の重量バランス）が重要となる。たとえば、特許文献１には、比重が異なる２つの材料を前後方向に繋げたダーツバレルが開示されている。このように、比重が異なる２つの材料を用いることで、ダーツバレルの重心の位置を変えたり、全体の重量を調整したりすることができる。
【先行技術文献】
【特許文献】
【０００４】
【特許文献１】特開２０１０−４９０１号公報
【発明の概要】
【発明が解決しようとする課題】
【０００５】
しかし、異なる２つの材料を用いる場合、材料によって加工のしやすさが異なるため、性能面以外の個性面でのデザインをダーツバレルに形成するのが困難となる場合があり、自由なデザイン設計がしにくいという問題がある。また、個性面でのデザインをダーツバレルに形成する場合、重量バランスや全体重量などの調整がしにくくなるため、プレーヤーの需要に応じてダーツバレルを完成させた後に、重量バランスや全体重量がダーツプレーヤーのイメージとは異なっている場合があり、その場合、再度の調整が困難となる。
【０００６】
そこで、本発明はかかる問題点に鑑みて、重量バランスや全体重量の調整が容易で、かつ、デザインの自由度を高めることが可能な構造を有するダーツバレル、ダーツ、および、ダーツバレル構成部品セットの提供を目的とする。
【課題を解決するための手段】
【０００７】
本発明の一実施形態のダーツバレルは、ダーツの前側部分を構成するチップと、前記ダーツの後側部分を構成する羽根付きのダーツシャフトとの間に配置されて、前記ダーツの中間部分を構成するダーツバレルであって、前記ダーツバレルが、前記チップに螺合接続される先端側部材と、前記ダーツシャフトに螺合接続される後端側部材と、前記ダーツバレルの軸方向で前記先端側部材および前記後端側部材の間に設けられ、貫通孔を有するリング状部材とを備え、前記先端側部材および前記後端側部材は、前記リング状部材の貫通孔を挿通するネジ部により接続され、前記リング状部材は、前記先端側部材および前記後端側部材よりも軸方向の長さが短く、前記リング状部材の外周に装飾部が形成されていることを特徴とする。
【０００８】
また、前記後端側部材および前記リング状部材は、前記先端側部材よりも比重が小さいことが好ましい。
【０００９】
また、前記リング状部材は、前記後端側部材よりも比重が小さいことが好ましい。
【００１０】
また、前記リング状部材は、前記後端側部材よりも比重が大きいことが好ましい。
【００１１】
また、前記先端側部材および前記リング状部材は、前記後端側部材よりも比重が小さいことが好ましい。
【００１２】
また、前記リング状部材は、前記先端側部材よりも比重が小さいことが好ましい。
【００１３】
また、前記リング状部材は、前記先端側部材よりも比重が大きいことが好ましい。
【００１４】
また、前記先端側部材および前記後端側部材が同じ材料により構成されていることが好ましい。
【００１５】
また、前記リング状部材は、前記先端側部材および前記後端側部材よりも比重が小さいことが好ましい。
【００１６】
また、前記リング状部材が、前記先端側部材および前記後端側部材よりも加工性の良い材料から構成されていることが好ましい。
【００１７】
また、前記ネジ部が、前記先端側部材と前記後端側部材との両方に螺合する別部材により構成され、前記ネジ部は、前記先端側部材の、前記リング状部材に隣接する端部に螺合する第１雄ネジ部と、前記後端側部材の、前記リング状部材に隣接する端部に螺合する第２雄ネジ部と、前記第１雄ネジ部と前記第２雄ネジ部との間に設けられ、前記リング状部材の内側に挿入される円筒部とを有し、前記ネジ部は、前記先端側部材、前記後端側部材および前記リング状部材よりも比重が小さいことが好ましい。
【００１８】
また、本発明の一実施形態のダーツは、上述したダーツバレルのいずれかを備えていることを特徴とする。
【００１９】
また、本発明の一実施形態のダーツバレル構成部品セットは、上述したダーツバレルを構成するためのダーツバレル構成部品セットであって、前記ダーツバレル構成部品セットが、複数種類の先端側部材と、複数種類の後端側部材と、装飾部が形成された１つのリング状部材とを備えていることを特徴とする。
【００２０】
また、前記複数種類の先端側部材は、重量および／または外周部の構造が互いに異なり、前記複数種類の後端側部材は、重量および／または外周部の構造が互いに異なることが好ましい。
【発明の効果】
【００２１】
本発明のダーツバレル、ダーツ、およびダーツバレル構成部品セットによれば、重量バランスや全体重量の調整が容易で、かつ、デザインの自由度を高めることができる。
【図面の簡単な説明】
【００２２】
【図１】本発明の一実施形態のダーツを示す図である。
【図２】図１のダーツが分解された部分断面図である。
【図３】本発明の一実施形態のダーツバレル構成部品セットである。
【発明を実施するための形態】
【００２３】
以下、図面を参照し、本発明の一実施形態のダーツバレル、ダーツ、および、ダーツバレル構成部品セットを説明する。なお、以下の実施形態はあくまで一例であり、本発明のダーツバレル、ダーツ、および、ダーツバレル構成部品セットは、以下の実施形態に限定されるものではない。
【００２４】
図１および図２に示されるように、本実施形態のダーツ１は、ダーツ１の前側部分を構成するチップ２と、ダーツ１の後側部分を構成する羽根付きのダーツシャフト３と、ダーツ１の中間部分を構成するダーツバレル４とを備えている。
【００２５】
チップ２は、ダーツボードに突き刺さる部分であり、ダーツ１の前側部分（先端側）を構成する。本実施形態では、ダーツ１はソフトダーツであり、チップ２は樹脂により構成されている。なお、ダーツ１はソフトダーツに限定されず、チップ２が金属製であるハードダーツであってもよい。チップ２は、図２に示されるように、ダーツボードに突き刺さる先端部２１と、ダーツバレル４に螺合接続されるチップ側雄ネジ部２２を有している。なお、チップ２は図示する形状に限定されず、他の形状の公知のチップを用いることができる。
【００２６】
ダーツシャフト３は、ダーツ１の後側部分（後端側）を構成する。ダーツシャフト３は、後端部にフライト部品（羽根）３１が取り付けられている。本実施形態では、フライト部品３１は、２枚の樹脂プレートを交差させることにより、ダーツシャフトのシャフト部３２を中心として、４枚の羽根が径方向外側に突出している。また、ダーツシャフト３は、図２に示されるように、先端側にダーツバレル４に螺合接続されるシャフト側雄ネジ部３３を有している。なお、ダーツシャフト３は図示する形状に限定されず、他の形状の公知のダーツシャフトを用いることができる。
【００２７】
ダーツバレル４は、ダーツ１をダーツボードに向かって投げる際にダーツプレーヤーにより把持される部分である。ダーツバレル４には、上述したようにチップ２とダーツシャフト３とが接続される。
【００２８】
本実施形態では、ダーツバレル４は、図１および図２に示されるように、チップ２に螺合接続される先端側部材４１と、ダーツシャフト３に螺合接続される後端側部材４２と、ダーツバレル４の軸方向で先端側部材４１および後端側部材４２の間に設けられ、貫通孔Ｈを有するリング状部材４３とを備えている。
【００２９】
先端側部材４１は、ダーツバレル４のうち、軸方向で先端側となる部位である。本実施形態では、先端側部材４１は、略円柱状に構成されている。先端側部材４１の形状は特に限定されないが、本実施形態では、図１および図２に示されるように、先端側部材４１のチップ２側となる先端部４１ａがテーパー状に縮径した形状を呈している。先端側部材４１の先端部４１ａは、図２に示されるように、チップ２のチップ側雄ネジ部２２が螺合する雌ネジが形成された雌ネジ孔（先端側雌ネジ孔）４１ｂを有している。また、先端側部材４１の後端部４１ｃは、図２に示されるように、後述するネジ部４４が螺合する雌ネジが形成された雌ネジ孔（後端側雌ネジ孔）４１ｄを有している。なお、本実施形態では、先端側雌ネジ孔４１ｂと後端側雌ネジ孔４１ｄとは、それぞれ軸方向で独立して設けられているが、先端側雌ネジ孔４１ｂと後端側雌ネジ孔４１ｄとは、軸方向に連続する１つの孔により構成されていてもよい。
【００３０】
本実施形態では、先端側部材４１には、図１に示されるように、軸方向に延びる溝Ｇ１が形成されている。先端側部材４１の溝Ｇ１は、図示する形状に限定されない。たとえば、先端側部材４１に、周方向に形成された溝が形成されていてもよいし、周方向に延びる溝と軸方向に延びる溝との両方を有していてもよい。また、軸方向に延びる溝Ｇ１は、図１に示されるように屈曲していてもよいし、湾曲していてもよい。なお、先端側部材４１には溝が形成されていなくてもよい。
【００３１】
後端側部材４２は、ダーツバレル４のうち、軸方向で後端側となる部位である。本実施形態では、後端側部材４２は、略円柱状に構成されている。後端側部材４２の形状は特に限定されない。たとえば、後端側部材４２は、後端側に向かって縮径するテーパー状であってもよいし、軸方向で略同径となるように構成されていてもよい。本実施形態では、略円柱状の後端側部材４２に、周方向に形成された溝Ｇ２が軸方向に複数形成されている。後端側部材に設けられた複数の溝Ｇ２は、ダーツプレーヤーがダーツを投げる際の滑り止めとして機能する。なお、溝Ｇ２の数や形状は図示する形状に限定されない。
【００３２】
後端側部材４２の先端部４２ａは、図２に示されるように、後述するネジ部４４が螺合する雌ネジが形成された雌ネジ孔（先端側雌ネジ孔）４２ｂを有している。また、後端側部材４２の後端部４２ｃは、図２に示されるように、ダーツシャフト３のシャフト側雄ネジ部３３が螺合する雌ネジが形成された雌ネジ孔（後端側雌ネジ孔）４２ｄを有している。なお、本実施形態では、先端側雌ネジ孔４２ｂと後端側雌ネジ孔４２ｄとは、それぞれ軸方向で独立して設けられているが、先端側雌ネジ孔４２ｂと後端側雌ネジ孔４２ｄとは、軸方向に連続する１つの孔により構成されていてもよい。
【００３３】
本実施形態では、チップ２が螺合接続される、先端側部材４１の先端側雌ネジ孔４１ｂと、ダーツシャフト３が螺合接続される、後端側部材４２の後端側雌ネジ孔４２ｄとは、ネジ径およびネジピッチが同じである。これにより、ダーツバレル４の先端側と後端側とを逆転させても、チップ２およびダーツシャフト３をダーツバレル４に接続することができる。
【００３４】
ネジ部４４は、先端側部材４１と後端側部材４２とを接続する。ネジ部４４は、リング状部材４３の貫通孔Ｈを挿通するような長さおよび外径を有している。本実施形態では、先端側部材４１と後端側部材４２との間にリング状部材４３を挟み込んだ状態で先端側部材４１と後端側部材４２とを螺合接続する。ネジ部４４は、本実施形態では、図２に示されるように、先端側部材４１と後端側部材４２との両方に螺合する別部材により構成されている。ネジ部４４は、先端側部材４１の、リング状部材４３に隣接する端部（後端側雌ネジ孔４１ｄ）に螺合する第１雄ネジ部４４ａと、後端側部材４２の、リング状部材４３に隣接する端部（先端側雌ネジ孔４２ｂ）に螺合する第２雄ネジ部４４ｂと、第１雄ネジ部４４ａと第２雄ネジ部４４ｂとの間に設けられ、リング状部材４３の内側に挿入される円筒部４４ｃとを有している。
【００３５】
第１雄ネジ部４４ａは、図２に示されるように、先端側部材４１の後端側雌ネジ孔４１ｄに螺合する。また、第２雄ネジ部４４ｂは、後端側部材４２の先端側雌ネジ孔４２ｂに螺合する。なお、第１雄ネジ部４４ａと第２雄ネジ部４４ｂとは、ネジ径およびネジピッチが同じであり、第１雄ネジ部４４ａを後端側部材４２の先端側雌ネジ孔４２ｂに螺合し、第２雄ネジ部４４ｂを先端側部材４１の後端側雌ネジ孔４１ｄに螺合してもよい。
【００３６】
円筒部４４ｃは、ネジ部４４のうち、リング状部材４３の内側に挿入される部位である。円筒部４４ｃは、リング状部材４３の内径と略同径またはわずかに小さい外径を有し、リング状部材４３をネジ部４４に挿入された状態で支持する。円筒部４４ｃは、本実施形態では、リング状部材４３の軸方向の長さよりも長いが、リング状部材４３の軸方向の長さと同一であってもよいし、リング状部材４３の軸方向の長さよりも短くてもよい。
【００３７】
本実施形態では、先端側部材４１または後端側部材４２のいずれか一方にネジ部４４を螺合した後、ネジ部４４にリング状部材４３を通し、その後、先端側部材４１または後端側部材４２の他方をネジ部４４に螺合する。これにより、先端側部材４１と後端側部材４２とで、リング状部材４３を軸方向に挟み込んだ状態のダーツバレル４を形成することができる。なお、先端側部材４１とリング状部材４３との間、および、リング状部材４３と後端側部材４２との間は、最終的には接着剤により接着することが好ましいが、螺合のみにより接合しても構わない。
【００３８】
なお、本実施形態では、ネジ部４４は、先端側部材４１および後端側部材４２とは別部材により構成されたものを例示しているが、ネジ部４４は、先端側部材４１および後端側部材４２のいずれか一方と一体に構成してもよい。たとえば、先端側部材４１の後端側雌ネジ孔４１ｄを設けずに、先端側部材４１の後端側からネジ部を突出させ、後端側部材４２の先端側雌ネジ孔４２ｂに、先端側部材４１に一体化させたネジ部を螺合してもよい。または、後端側部材４２の先端側雌ネジ孔４２ｂを設けずに、後端側部材４２の先端側からネジ部を突出させ、先端側部材４２の後端側雌ネジ孔４１ｄに、後端側部材４２に一体化させたネジ部を螺合してもよい。
【００３９】
リング状部材４３は、図１に示されるように、外周に装飾部４３ａが形成されている。本実施形態では、装飾部４３ａは、リング状部材４３の外周に彫られた文字である。装飾部４３ａは、主に装飾的なデザインが施される部位であるが、機能的な面での溝などが形成されていてもよい。装飾部４３ａは、たとえば、文字、図形、絵柄、模様など様々な装飾とすることができる。また、これらの装飾は、リング状部材４３を彫りこむことにより溝状に形成してもよいし、ダーツバレル４の表面から隆起するものであってもよい。また、装飾部４３ａは、リング状部材４３の基材を切削等の加工により形成してもよいし、リング状部材４３の基材とは他の材料を貼り付けることにより設けてもよい。
【００４０】
リング状部材４３は、先端側部材４１および後端側部材４２よりも軸方向の長さが短く、リング状に形成されている。また、リング状部材４３は、軸方向で先端側部材４１および後端側部材４２の間に配置される。そのため、リング状部材４３に様々な装飾が施されても、ダーツバレル４全体に対する重量面での影響を与えにくい。なお、先端側部材４１、後端側部材４２、リング状部材４３の軸方向の長さは、図示する比率に限定されず、適宜変更することができる。
【００４１】
リング状部材４３の材料は特に限定されない。たとえば、リング状部材４３は、金属製であってもよいし、樹脂製であってもよい。リング状部材４３は、加工性が高く、比重が小さいものであることが好ましい。リング状部材４３に加工性が高い材料を用いることにより、リング状部材４３を容易に所定のデザインに加工することができる。また、リング状部材４３に比重が小さい材料を用いることにより、ダーツバレル４の重量バランスや全体の重量へ及ぼす影響を低減することができる。加工性が高く、比重の小さい材料としては、たとえば、アルミニウム、ステンレス、合成樹脂等があげられる。
【００４２】
なお、先端側部材４１および後端側部材４２の材料も特に限定されず、後重心、前重心、センター重心などの重量バランスや、ダーツバレル４の全体重量を加味して、様々な材料を組み合わせて用いることができる。また、ネジ部４４の材料は特に限定されないが、重量バランスへの影響を加味して、先端側部材４１、後端側部材４２、およびリング状部材４３よりも比重の小さい材料により構成されることが好ましい。ネジ部４４としては、たとえば、真鍮を用いることができる。
【００４３】
前重心のダーツバレル４を製造する場合、後端側部材４２およびリング状部材４３は、先端側部材４１よりも比重が小さい材料により構成される。この場合、たとえば、先端側部材４１は、タングステンなどを用いることができる。また、後端側部材４２は、アルミニウム、ステンレス、チタン、真鍮、合成樹脂などを用いることができる。
【００４４】
なお、前重心のダーツバレル４を製造する場合、リング状部材４３は、後端側部材４２よりも比重が小さい材料により構成されていてもよいし、後端側部材４２よりも比重が大きい材料により構成されていてもよい。
【００４５】
後重心のダーツバレル４を製造する場合、先端側部材４１およびリング状部材４３は、後端側部材４２よりも比重が小さい材料により構成される。この場合、たとえば、後端側部材４２は、タングステン、などを用いることができる。また、先端側部材４１は、アルミニウム、ステンレス、チタン、真鍮、合成樹脂などを用いることができる。
【００４６】
なお、後重心のダーツバレル４を製造する場合、リング状部材４３は、先端側部材４１よりも比重が小さい材料により構成されていてもよいし、先端側部材４１よりも比重が大きい材料により構成されていてもよい。
【００４７】
センター重心のダーツバレル４を製造する場合、先端側部材４１および後端側部材４２には、同じ比重の材料を用いることが好ましく、より好ましくは同じ材料が用いられる。
【００４８】
上述したように、本実施形態のダーツバレル４は、先端側部材４１と、後端側部材４２と、軸方向で先端側部材４１および後端側部材４２の間に、先端側部材４１および後端側部材４２よりも軸方向の長さが短く、外周に装飾部４３ａが形成されているリング状部材４３とを備えている。これにより、先端側部材４１、後端側部材４２、および、その間に設けられたリング状部材４３との組み合わせによって、ダーツバレル４の全体重量および重量バランスを調整したうえで、ダーツバレル４のデザイン性を高めるのが非常に容易となる。たとえば、細かい装飾などが困難なタングステンなどを先端側部材４１および後端側部材４２のいずれかに用いた場合であっても、リング状部材４３には容易にデザイン性を高める装飾が可能となる。また、先端側部材４１や後端側部材４２には、細かい装飾を施す必要がないため、重量バランスの設計が非常に容易になる（複雑なデザインを先端側部材４１や後端側部材４２に形成すると、重量バランスが崩れやすい）。また、リング状部材４３は、軸方向の長さが短いリング状に形成されており、かつ、先端側部材４１と後端側部材４２との間に配置されるため、重量バランスに影響を与えにくく、ダーツバレル４の重量バランスの設計がしやすく、容易にデザイン性を高めることができる。
【００４９】
なお、リング状部材４３は、上述したように、先端側部材４１および後端側部材４２よりも加工性の良い材料から構成されていることが好ましい。この場合、リング状部材４３に複雑な装飾を施すのが容易となり、先端側部材４１や後端側部材４２が加工しにくい材料を用いていたとしても、容易にデザイン性を高めることができる。なお、上述したように加工性が良く、比重が小さい材料をリング状部材４３に用いた場合、リング状部材４３がダーツバレル４の重量バランスに与える影響をより小さくすることができる。
【００５０】
また、本実施形態では、先端側部材４１、後端側部材４２、およびリング状部材４３をネジ部４４により螺合する構造としている。そのため、たとえば、装飾が施されるリング状部材４３が完成した時点で、先端側部材４１、後端側部材４２、リング状部材４３をネジ部４４により仮接続した状態で、ダーツバレル４を使用するプレーヤーが、ダーツ１の試し投げをすることもできる。その場合、重量バランスや全体重量の点で、仮接続したダーツバレル４がプレーヤーのイメージが異なっている場合に、リング状部材４３はそのまま用いて、先端側部材４１、後端側部材４２のいずれかを取り替えることにより、容易にプレーヤーのイメージ通りのダーツバレル４とすることができる。一方、複雑な装飾をダーツバレルに施すときに、従来のように、ダーツバレルが一部品から構成されている場合や、先端側部材および後端側部材のみから構成されている場合に、実際にダーツを投げたときに、重量バランスや総重量の点で、ダーツバレルがプレーヤーのイメージと異なっている場合がある。この場合、従来のダーツバレルでは装飾部分が他の部品と一体（一部品のダーツバレルや、装飾が施された先端側部材、後端側部材）となってしまうため、ダーツバレルや先端側部材、後端側部材が無駄になってしまう。その点で、本実施形態のダーツバレル４は、試し投げをしたときにプレーヤーのイメージが異なる場合であっても、加工が大変な装飾部４３ａを含むリング状部材４３はそのまま活かすことができ、ダーツバレル４のトータルの製造コストを低減することができる。
【００５１】
つぎに、図３を用いてダーツバレル構成部品セットＳを説明する。なお、上述したダーツバレル４と共通する部分についての説明は省略する。ダーツバレル構成部品Ｓセットは、図３に示されるように、複数種類の先端側部材４１０、４１１、４１２と、複数種類の後端側部材４２０、４２１、４２２と、装飾部４３ａが形成された１つのリング状部材４３とを備えている。複数種類の先端側部材４１０、４１１、４１２は、重量および／または外周部の構造が互いに異なり、複数種類の後端側部材４２０、４２１、４２２は、重量および／または外周部の構造が互いに異なっている。たとえば、重量を異ならせる場合、複数種類の先端側部材４１０、４１１、４１２は、互いに異なる比重の材料を用いてもよいし、互いに軸方向の長さや外径が異なることにより、互いに異なる重量としてもよい。また、外周部の構造の違いは、たとえば、先端側部材４１０、４１１、４１２に形成される溝の形状、構造の違いや、テーパー形状などの違いとすることができる。なお、図３においては、３種類のみの先端側部材および後端側部材が図示されているが、ダーツバレル構成部品セットＳにおける先端側部材および後端側部材の数は特に限定されない。
【００５２】
上述したダーツバレル構成部品セットＳによれば、所定のデザインの装飾部４３ａを有する１つのリング状部材４３を形成することにより、そのリング状部材４３を用いて、上述したように試し投げなどをすることにより、容易に異なる重量バランス、総重量のダーツバレル４を製造することが容易になる。また、リング状部材４３の装飾部４３ａのデザイン（形状や外径、突出量など）に応じて、適切な指掛かりの後端側部材などとすることができる。
【符号の説明】
【００５３】
１  ダーツ
２  チップ
２１  先端部
２２  チップ側雄ネジ部
３  ダーツシャフト
３１  フライト部品
３２  シャフト部
３３  シャフト側雄ネジ部
４  ダーツバレル
４１、４１０、４１１、４１２  先端側部材
４１ａ  先端部
４１ｂ  先端側雌ネジ孔
４１ｃ  後端部
４１ｄ  後端側雌ネジ孔
４２、４２０、４２１、４２２  後端側部材
４２ａ  先端部
４２ｂ  先端側雌ネジ孔
４２ｃ  後端部
４２ｄ  後端側雌ネジ孔
４３  リング状部材
４３ａ  装飾部
４４  ネジ部
４４ａ  第１雄ネジ部
４４ｂ  第２雄ネジ部
４４ｃ  円筒部
Ｇ１、Ｇ２  溝
Ｈ  貫通孔
Ｓ  ダーツバレル構成部品セット
【図１】
2019055113.tif 000003
【図２】
2019055113.tif 000004
【図３】
2019055113.tif 000005